(57)【特許請求の範囲】
【請求項１】
被施術者の肌診断を行うための肌センサーと、
該肌センサーからの出力で水分量、油量、弾性等の肌データを表示する液晶パネル等のディスプレーと、
バキュームやペルチェ等のエステ機器と、
前記肌センサーにより得られた前記肌データと予め記憶されているデータとの比較演算して前記肌データに基づく最適な温度や時間等の施術データを前記エステ機器に出力すると共に該施術データを通信ユニットを介して出力する制御回路とを具備する制御装置と、
前記制御装置よりの前記出力を受信する通信ユニットと、
タンク内の水の温度および水位を計測するセンサーと、
前記タンク内の水を加熱するヒーターとを具備し施術台の近傍に設置される蒸気発生装置と、
から構成し、前記制御装置よりの前記施術データによって前記エステ機器を制御すると共に、前記施術データを前記制御装置の通信ユニットを介して前記蒸気発生装置の通信ユニットに送信することで蒸気発生装置を制御するようにしたことを特徴とするエステ装置。
【請求項２】
複数の蒸気発生装置を制御する場合には、該蒸気発生装置にアドレスを設定し、該アドレスに基づいて前記制御装置で得た施術データを制御装置の通信ユニットを介して蒸気発生装置の通信ユニットを介して送信することで前記蒸気発生装置を制御するようにしたことを特徴とする請求項１記載のエステ装置。
【発明の詳細な説明】
【０００１】
【発明の属する技術分野】
本発明は、施術者が行う被施術者の肌診断の結果を表示し、該結果に基づいて被施術者の顔に蒸気を当てる蒸気発生装置、ローションを顔に噴霧してトリートメントでほてった肌をクールダウンするためのスプレイ、空気の負圧を利用して皮膚の表面に付いた余分な皮脂や汚れを除くためのバキューム、ホット・クールを繰り返すことによって血行を良くしてトリートメント効果を高めるためのペルチェ等のエステ機器を操作するための時間や温度設定の参考となし、かつ、一部のエステ機器、例えば、前記蒸気発生装置を遠隔位置からに制御するようにしたエステ装置に関する。
【０００２】
【従来の技術】
近年、エステサロンにおいてエステ機器のうちの１つである蒸気発生装置により被施術者の顔に蒸気を噴霧して肌に潤いを与えるフェーシャルトリートメントが行われているが、従来の蒸気発生装置による施術は、先ず、施術者が被施術者の肌を肌診断器によって肌の水分、油分および弾性等を検査し、その検査結果から施術者が経験や勘によって蒸気発生装置に備えられている設定キー等を操作して蒸気温度や時間を設定した後に、該蒸気発生装置を動作させてエステ施術を行っていた。また、蒸気発生装置以外のエステ機器の場合も同様であった。
【０００３】
【発明が解決しようとする課題】
ところで、前記した従来の方法にあっては、センサーを備えた肌診断器と、エステ施術を行うためのエステ機器とは別個のものであり、エステ施術を行う場合には肌診断器とエステ機器の２つの機器が必要となり、作業性が悪いばかりでなく、保管等にも面倒であるといった問題があった。
【０００４】
また、施術機器によるエステ施術を行う場合には、肌診断器による診断の結果に基づいてエステ機器の操作時間や温度等を設定して行うものであるが、例えば、エステ機器の内の蒸気発生装置を使用する場合には、該蒸気発生装置自体に装備されている操作キーによって前記時間や温度を設定していたので、操作性が悪いと共に、各蒸気発生装置毎に操作キーを設けなければならず、複数台の蒸気発生装置を使用して同時に施術を行う場合には、各蒸気発生装置毎に設定しなければならないといった問題もあった。
【０００５】
本発明は前記した問題点を解決せんとするもので、その目的とするところは、肌診断器とエステ機器とを一体化したことにより、エステ施術時のスペースを狭くすることができると共に作業性がよくなり、かつ、保管も便利であり、また、肌診断器が取付けられた制御装置によって蒸気発生装置等のエステ機器を操作するための時間や温度の遠隔位置から設定が行えるようにしたので、操作性の向上が図れると共に複数台のエステ機器の設定を１つの制御装置で行えるエステ装置を提供せんとするにある。
【０００６】
【課題を解決するための手段】
本発明のエステ装置は前記した目的を達成せんとするもので、その請求項１の手段は、被施術者の肌診断を行うための肌センサーと、該肌センサーからの出力で水分量、油量、弾性等の肌データを表示する液晶パネル等のディスプレーと、バキュームやペルチェ等のエステ機器と、前記肌センサーにより得られた前記肌データと予め記憶されているデータとの比較演算して前記肌データに基づく最適な温度や時間等の施術データを前記エステ機器に出力すると共に該施術データを通信ユニットを介して出力する制御回路とを具備する制御装置と、前記制御装置よりの前記出力を受信する通信ユニットと、タンク内の水の温度および水位を計測するセンサーと、前記タンク内の水を加熱するヒーターとを具備し施術台の近傍に設置される蒸気発生装置とから構成し、前記制御装置よりの前記施術データによって前記エステ機器を制御すると共に、前記施術データを前記制御装置の通信ユニットを介して前記蒸気発生装置の通信ユニットに送信することで蒸気発生装置を制御するようにしたことを特徴とする。
【０００７】
請求項２の手段は、前記した請求項１において、複数の蒸気発生装置を制御する場合には、該蒸気発生装置にアドレスを設定し、該アドレスに基づいて前記制御装置で得た施術データを制御装置の通信ユニットを介して蒸気発生装置の通信ユニットを介して送信することで前記蒸気発生装置を制御するようにしたことを特徴とする。
【００１１】
【発明の実施の形態】
以下、本発明に係るエステ装置の一実施の形態を図面と共に説明する。
図１において１は制御装置を示し、キャスター１１ａ付きの台部１１より起立した支柱１２のケース１２ａ内に図４に示す制御回路１ａ、および通信ユニット１ｂが収納されている。そして、前記制御回路１ａには前記ケース１２ａより起立した状態で液晶パネル等のディスプレー１３が取付けられている。なお、ディスプレー１３の下部には後述する蒸気発生装置２を含むエステ機器１５の温度や施術時間を設定するための操作キー１３ａが配置されている。
【００１２】
また、ケース１２ａの前面側に取付けられたホルダー１４には、ローションを顔に噴霧してトリートメントでほてった肌をクールダウンするためのスプレイ、空気の負圧を利用して皮膚の表面に付いた余分な皮脂や汚れを除くためのバキューム、ホット・クールを繰り返すことによって血行を良くしてトリートメント効果を高めるためのペルチェ等のエステ機器１５が垂下保持されている。
【００１３】
さらに、前記した制御回路１ａは肌センサー１６が接続されており、かつ、制御回路１ａは該肌センサー１６よりの光学的出力から被施術者の顔における水分量、油量、弾性等のデータを得ることが可能なように構成されている。また、制御回路１ａには、例えば、肌データの水分、油分、弾性の諸条件を勘案してエステ機器１５（後述する蒸気発生装置を含む）を使用する際の最適な操作温度や時間データを予めテーブルに記憶しておき、実際に肌診断器によって得られたデータと前記テーブルに記憶されているデータとの比較演算を行って、エステ機器の操作温度や時間を自動的に設定することが可能なようになっている。
【００１４】
２はエステ機器１５の１つである蒸気発生装置にして、キャスター２１ａを有する台板２１から直立した柱板２２に対して蒸気噴出部２３ａを有する蒸気発生本体２３の背板２４が着脱自在に取付けられている。なお、蒸気発生本体２３は公知のものと同じようにタンク２３ｂを有し、水タンク２３ｂ内に装備されたヒーターに通電して加熱することにより蒸気を発生するものである。
【００１５】
そして、蒸気発生装置２内には図４に示すように、制御回路２ａおよび通信ユニット２ｂが内蔵されており、該制御回路２ａにはタンク２３ｂ内の水の温度および水位を計測するセンサー２ｃおよびタンク２３ｂ内の水を加熱するためのヒーター２ｄが接続されている。
【００１６】
３は脚体３１に取付けられた座部３２に対して背凭れ３３および前垂れ３４が起伏自在に形成された施術台にして、図示されていないが座部３２の下面より突出した支持杆に対して図２に示した蒸気発生装置２が着脱自在に取付け可能なように形成されている。
【００１７】
次に、前記した構成に基づいてエステ施術を行う方法について説明する。なお、説明では図３に示す蒸気発生装置２を施術台３に設置した場合について説明するが、図２に示す移動可能な支柱１２に取付けられた蒸気発生装置２を施術台３の側面に移動した場合であっても良い。
【００１８】
先ず、エステ施術を行う場合には、制御装置１をキャスター１１ａを利用して施術台３に寝ている被施術者の頭部に移動して、該制御装置１の電源を投入すると、ディスプレー１３に表示される手順に基づいて肌センサー１６を被施術者の顔の額、頬、顎等に当てて皮膚の水分、油分、弾性等を計測する。
【００１９】
これらの計測した肌データや前記エステ機器１５を操作するための操作温度や時間データはディスプレー１３上に表示されると共に制御装置１の制御回路１ａに取り込まれ、氏名、住所等の必要顧客情報データに追加情報として記憶され、次回の来店時に測定したデータと前記制御装置１に記憶されているデータとを比較してディスプレー１３上に表示可能なように構成されている。
【００２０】
また、前記取り込まれた各種の肌データは、予め制御装置１内に記憶されているデータとの比較演算が行われ、前記肌データに基づく最適な状態で前記エステ装置を駆動するための温度や時間等のデータとして蒸気発生装置２を含むエステ機器１５に出力可能なように構成されている。
【００２１】
今、前記得られた肌データを見た施術者が蒸気発生装置２よりの蒸気を被施術者の顔に蒸気を当てて肌に潤いを与える場合について説明すると、制御装置１の制御回路１ａより、あるいは、被施術者によるディスプレー１３に配置されている操作キー１３ａによって設定した温度や蒸気発生時間のデータは通信ユニット１ｂを介して有線、無線あるいは光によって蒸気発生装置２の通信ユニット２ｂ電送され制御回路２ａに記憶される。
【００２２】
一方、蒸気発生装置２は制御装置１よりのデータ受信と同時にヒーター２ｄへの通電を開始するが、制御回路２ａはタンク２３ｂの水の温度および水位を温度センサー・水位センサー２ｃよりの信号によって常時監視しているので、前記制御装置１より電送されたデータによる蒸気発生装置２の駆動開始は、該記憶されているデータの温度時間に達した時点において行われる。
【００２３】
そして、施術台３の側面に設置された蒸気発生装置２は前記制御装置１よりの温度データに基づいて動作を開始し、施術台３に寝ている被施術者の顔面に対して蒸気を当てて潤いを与え、前記時間データの時間に達すると蒸気発生を停止され蒸気による施術は終了する。
【００２４】
なお、他のエステ機器による施術は、制御装置１を施術台１の近傍に移動して行うが、施術時間等は制御装置１内の制御回路１ａに記憶されているデータに基づいて施術者が行うことになる。また、図２に示したスタンド型の蒸気発生装置２の場合には、該蒸気発生装置２を施術台１の近傍に移動して行う。
【００２５】
また、制御装置１によって複数台の蒸気発生装置２の駆動を同時に行う場合には、各蒸気発生装置２にアドレスを設定し、該アドレスに基づいて制御装置１より施術データを通信ユニット１ｂを介して蒸気発生装置２の通信ユニット２ｂに電送することによって、前記したと同様な動作によって１つの制御装置１によって多数の蒸気発生装置２を制御することが可能である。
【００２６】
また、本発明における制御装置１において、前記したように肌診断した結果をディスプレー１３上に表示する場合について説明したが、さらに、前記肌診断の結果に基づいて各種の施術における時間や温度を設定することにより、施術の手順をディスプレー１３上に表示すると共に１つの施術が終了するとブザー等で報知して次の施術に移行するように施術者に知らせることも可能である。
【００２７】
【発明の効果】
本発明は前記したように、被施術者の肌診断を行うためのセンサーが取付けられ、該センサーからの出力で肌データを表示する液晶パネル等のモニターが取付けられ、さらに、前記肌データに基づいて施術を行うためのエステ機器が取付けられているので、１つの装置を使用して肌データの取り込みからエステ機器による施術が行えるものである。
【００２８】
また、被施術者の肌診断を行った結果を表示すると共に後述する蒸気発生装置等のエステ機器を制御するための操作パネルを有する制御装置と、被施術者が施術を受けるための施術台と、該施術台の近傍に配置され前記制御装置によって設定された時間、温度等のデータに基づいて制御されるエステ機器とから構成したので、蒸気発生装置等のエステ機器毎に施術時間や施術温度を設定するための装置を組み込む必要がなくなってエステ機器のコストダウンが図れ、また、１つの制御装置によって複数台のエステ機器を遠隔的に同時に制御可能としたことによって、さらなるコストダウンを図ることができるものである。
【００２９】
また、前記制御装置は肌診断器よりの水分量、油量、弾性等のデータを取り込み、予め制御装置内に記憶されているデータとの比較演算して前記肌データに基づく最適な状態で前記エステ装置を駆動するための温度や時間等のデータをエステ機器に出力するようにしたので、エステ機器は自動的に設定が行われて操作に不慣れな者であってもエステ機器の使用が可能になるものである。
【００３０】
さらに、制御装置は前記エステ機器を制御するための信号を送出し、また、前記エステ機器は蒸気を発生するための湯の温度や水の量等のデータを前記制御装置に送出するようにして相互通信が可能であることから、遠隔位置から蒸気発生装置の駆動状況を把握できるので、従来のように蒸気発生装置まで施術者が赴く必要がなくなり操作性の向上が図れるものである。
【００３１】
また、前記エステ機器における少なくとも蒸気発生装置は、移動可能な柱や前記施術台に対して脱着自在に取付けられるようにしたので、エステサロンの室内状況に合わせて蒸気発生装置を使用することができて使い勝手が非常に良い等の効果を有するものである。
【図面の簡単な説明】
【図１】本発明のエステ装置における制御装置の斜視図である。
【図２】蒸気発生装置の第１の実施の形態の斜視図である。
【図３】他の実施の形態の蒸気発生装置の斜視図である。
【図４】全体の回路構成を示すブロック図である。
【図５】使用状態を示す平面図である。
【符号の説明】
１          制御装置
１３        ディスプレー
１３ａ      操作キー
１５        エステ機器
１６        肌センサー
１ａ        制御回路
１ｂ        通信ユニット
２          蒸気発生装置
２３ｂ      タンク
２ａ        制御回路
２ｂ        通信ユニット
２ｃ        温度・水位センサー
２ｄ        ヒーター
【図１】
0003969526.tif 000002
【図２】
0003969526.tif 000003
【図３】
0003969526.tif 000004
【図４】
0003969526.tif 000005
【図５】
0003969526.tif 000006